(57)【要約】【課題】サイドサイドエアーバックを安定に展開可能とするのに好適な自動車用内装トリムを提供する。【解決手段】自動車用内装トリム１は、所要形状に成形された樹脂芯材２と、樹脂芯材の表面に貼付された表皮材３と、樹脂芯材の幅方向に沿って該樹脂芯材の裏面に設けた複数の補強リブ４と、樹脂芯材の裏面側でサイドエアーバックが展開したときに、その展開の力によって樹脂芯材の端末部が破断できるようにするための該破断の基点を樹脂芯材の端末部に設定する手段として、補強リブの上端面に形成された凹部５と、を備え、樹脂芯材の破断の基点に隣接する表皮材の端末部にスリット６を形成したものである。【選択図】図１
2019229831.tif 000002
【特許請求の範囲】
【請求項１】
所要形状に成形された樹脂芯材と、
前記樹脂芯材の表面に貼付された表皮材と、
前記樹脂芯材の幅方向に沿って該樹脂芯材の裏面に設けた複数の補強リブと、
前記樹脂芯材の裏面側でサイドエアーバックが展開したときに、その展開の力によって前記樹脂芯材の端末部が破断できるようにするための該破断の基点を前記樹脂芯材の端末部に設定する手段として、前記補強リブの上端面に形成された凹部と、を備え、
前記樹脂芯材の破断の基点に隣接する前記表皮材の端末部にスリットを形成したこと
を特徴とする自動車用内装トリム。
【請求項２】
前記スリットは、そのスリット始点からスリット終点までの範囲が線状の形態になっていること
を特徴とする請求項１に記載の自動車用内装トリム。
【請求項３】
前記スリットは、そのスリット始点からスリット終点までの範囲に、幅の広いスリット幅広部と幅の狭いスリット幅狭部とを備えた構成になっていること
を特徴とする請求項１に記載の自動車用内装トリム。
【請求項４】
前記スリット幅広部は、前記スリット終点から前記スリット始点の方向に向けてテーパー状に拡がるように形成されていること
を特徴とする請求項３に記載の自動車用内装トリム。
【請求項５】
前記スリット幅広部は、円弧状に形成されていること
を特徴とする請求項３に記載の自動車用内装トリム。
【発明の詳細な説明】
【技術分野】
【０００１】
本発明は、自動車の車体フレーム構成部品として周知のフロントピラーまたはリヤピラーの内面に取付けられる自動車用内装トリムに関し、特に、サイドサイドエアーバックを安定に展開可能とするのに好適なものである。
【背景技術】
【０００２】
従来、自動車の車体フレーム構成部品として周知のフロントピラーやリヤピラーの内面側（車内側に位置する面）には自動車用内装トリムとしてピラーガーニッシュが取付けられている。また、このようなフロント側、リヤ側のピラーガーニッシュを自動車の天井付近で連結している車体フレーム構成部品としてサイドレールが知られており、サイドレールの内面側にも自動車用内装トリムとしてサイドレールガーニッシュが取付けられている。【０００３】
サイドレールガーニッシュの裏面側にはサイドエアーバックが折り畳まれた形態やロール状に巻かれた形態で展開可能に設置される場合がある。この場合は、そのサイドエアーバックを膨張によって展開するためのガスを発生させる手段として、リヤ側のピラーガーニッシュの裏面側にインフレータが設けられる。【０００４】
運転者の側頭部を衝撃から保護する手段として、例えば、特許文献１に記載されているように、サイドエアーバック（３ａ）の前方部分は、フロント側のピラーガーニッシュ（４ａ）の上部裏面付近まで延長されている。そして、サイドエアーバックが展開する力でフロント側のピラーガーニッシュ（４Ａ）の上部付近が破断できるように設定する手段として、特許文献１のピラーガーニッシュ（４Ａ）では、これを構成する樹脂芯材（５）の上部裏面側に、破断の基点を構成し得る凹部（６ａ）を形成している。【０００５】
ところで、特許文献１のピラーガーニッシュ（４Ａ）のような従来の自動車用内装トリムは、樹脂芯材の表面に表皮材を貼付した構造になっている。しかしながら、その表皮材には、前述した凹部（６ａ）のような破断の基点を構成し得るものがなく、破断の基点が存在しない。このため、従来の自動車用内装トリムにあっては、サイドエアーバックの展開する力による破断が生じ難く、サイドエアーバックを安定に展開することができないという問題点がある。【０００６】
なお、前記カッコ内の符号は特許文献１で用いられている符号である。
【先行技術文献】
【特許文献】
【０００７】
【特許文献１】特開平２０１０−１７３３８６号公報
【発明の概要】
【発明が解決しようとする課題】
【０００８】
本発明は、前記問題点を解決するためになされたものであり、その目的は、サイドエアーバックを安定に展開可能とするのに好適な自動車用内装トリムを提供することである。
【課題を解決するための手段】
【０００９】
前記目的を達成するために、本発明は、所要形状に成形された樹脂芯材と、前記樹脂芯材の表面に貼付された表皮材と、前記樹脂芯材の幅方向に沿って該樹脂芯材の裏面に設けた複数の補強リブと、前記樹脂芯材の裏面側でサイドエアーバックが展開したときに、その展開の力によって前記樹脂芯材の端末部が破断できるようにするための該破断の基点を前記樹脂芯材の端末部に設定する手段として、前記補強リブの上端面に形成された凹部と、を備え、前記樹脂芯材の破断の基点に隣接する前記表皮材の端末部にスリットを形成したことを特徴とする。【００１０】
前記本発明において、前記スリットは、そのスリット始点からスリット終点までの範囲が線状の形態になっていることを特徴としてもよい。【００１１】
前記本発明において、前記スリットは、そのスリット始点からスリット終点までの範囲に、幅の広いスリット幅広部と幅の狭いスリット幅狭部とを備えた構成になっていることを特徴としてもよい。【００１２】
前記本発明において、前記スリット幅広部は、前記スリット終点から前記スリット始点の方向に向けてテーパー状に拡がるように形成されていることを特徴としてもよい。【００１３】
前記本発明において、前記スリット幅広部は、円弧状に形成されていることを特徴としてもよい。
【発明の効果】
【００１４】
本発明では、自動車用内装トリムの具体的な構成として、前述の通り、樹脂芯材の破断の基点に隣接する表皮材の端末部にスリットを形成した。このため、サイドエアーバック展開の力によって樹脂芯材の端末部が破断する際、その破断に追従して表皮材がスリットを基点に割れるので、従来のようにサイドエアーバックの展開時において表皮材が樹脂芯材の端末部の破断を妨げることはなく、サイドエアーバックを安定に展開可能とするのに好適な自動車用内装トリムを提供し得る。
【図面の簡単な説明】
【００１５】
【図１】本発明の一実施形態である自動車用内装トリム（フロントピラーガーニッシュ）の裏面模式斜視図。
【図２】図１のＡ矢視断面図。
【図３】図１の自動車用内装トリムを構成する表皮材（貼付前の状態）の裏面図。
【図４】図１の自動車用内装トリムをフロントピラーに取付けた状態の説明図。
【図５】図１に示したスリット（図３参照）の改良形（貼付前の状態）の説明図。
【図６】図５に示したスリットの第１変形例（貼付前の状態）の説明図。
【図７】図５に示したスリットの第２変形例（貼付前の状態）の説明図。
【図８】図５に示したスリットの第３変形例（貼付前の状態）の説明図。
【図９】図５に示したスリットの変形例（貼付前の状態）の説明図。
【図１０】図６に示したスリットの変形例（貼付前の状態）の説明図。
【図１１】図７に示したスリットの変形例（貼付前の状態）の説明図。
【図１２】図８に示したスリットの変形例（貼付前の状態）の説明図。
【図１３】図１に示したスリット（図３参照）の第４変形例（貼付前の状態）の説明図。
【図１４】図１に示したスリット（図３参照）の第５変形例（貼付前の状態）の説明図。
【発明を実施するための最良の形態】
【００１６】
以下、本発明を実施するための最良の形態について、添付した図面を参照しながら詳細に説明する。【００１７】
図１は、本発明を適用した自動車用内装トリム（フロントピラーガーニッシュ）の裏面模式斜視図、図２は、図１のＡ矢視断面図、図３は、図１の自動車用内装トリムを構成する表皮材（貼付前の状態）の裏面図、図４は、図１の自動車用内装トリムをフロントピラーに取付けた状態の説明図である。【００１８】
図１および図２を参照すると、本実施形態の自動車用内装トリム１は、自動車の車体フレーム構成部品として周知のフロントピラー（図示省略）の内面に取付けられるフロントピラーガーニッシュとして使用されるものであり、その基本的な構成部材として、フロントピラーの形状に対応して所要形状に成形された樹脂芯材２と、樹脂芯材２の表面に貼付された表皮材３とを具備する構造になっている。この構造において、貼付された表皮材３の端末部３Ａは図２のように樹脂芯材２の裏面側に折られることで表面側に露出しないように設定されている。【００１９】
樹脂芯材２と表皮材３はいずれも樹脂で形成されているので、樹脂芯材２に対する表皮材３の貼付方式として、本実施形態の自動車用内装トリム１では、超音波等での加熱溶融によって表皮材３と樹脂芯材２とを複数箇所でスポット的に溶着している。【００２０】
樹脂芯材２の裏面には図示しないクリップ等の固定手段が設けられており、かかる固定手段によって本実施形態の自動車用内装トリム１はフロントピラーの内面に取付けられるように構成されている。【００２１】
また、図４を参照すると、本実施形態の自動車用内装トリム１（フロントピラーガーニッシュ）は、フロントピラーの内面に取付けた状態で、別の自動車用内装トリム（具体的には、自動車内のフロント天井付近からリヤ天井付近に向けて延在するサイドレールガーニッシュ１００）に連結される。【００２２】
サイドレールガーニッシュ１００の裏面側には周知のエアバッグ装置１０１が設けられている。このエアバッグ装置１０１は、折り畳まれた状態のサイドエアーバック１０１Ａと、サイドエアーバック１０１Ａを膨張によって展開するためのガスを発生させるインフレータ１０１Ｂと、を備えている。【００２３】
運転者の側頭部を衝撃から保護する手段として、サイドエアーバック１０１Ａの前方部分は、図４に示したように、本実施形態の自動車用内装トリム１（フロントピラーガーニッシュ）の上部裏面付近まで延長されている。したがって、本実施形態の自動車用内装トリム１の裏面側（具体的には、樹脂芯材２の裏面側）でもサイドエアーバック１０１Ａは展開する。【００２４】
自動車用内装トリム１全体の強度向上を図る手段として、本実施形態の自動車用内装トリム１では、図１および図２に示したように、樹脂芯材２の幅方向に沿って樹脂芯材２の裏面に複数の補強リブ４を設けている。この種の補強リブ４の個数、形状、配置間隔などは必要に応じて適宜変更することができる。【００２５】
樹脂芯材１の裏面側でサイドエアーバック１０１Ａが展開したときに、その展開の力によって樹脂芯材２の端末部２Ａが破断できるようにするための該破断の基点ＢＰを樹脂芯材２の端末部２Ａに設定する手段として、本実施形態の自動車用内装トリム１では、補強リブ４の上端面に凹部５を形成している。【００２６】
破断の基点ＢＰから図中点線で示す設計上の破断予定線ＢＬに沿って樹脂芯材２を破断させるために、本実施形態の自動車用内装トリム１では、連続する複数の補強リブ４に一つずつ凹部５を設けているが、これに限定されることはない。どの補強リブ４に凹部５を何個設けるのか、この点については破断予定線ＢＬを考慮しつつ必要に応じて適宜変更することができる。【００２７】
サイドエアーバック１０１Ａの展開時において表皮材３が樹脂芯材２の端末部２Ａの破断を妨げないようにする手段として、本実施形態の自動車用内装トリム１では、樹脂芯材２の破断の基点ＢＰに隣接する表皮材３の端末部３Ａに、スリット６を形成している（図３参照）。つまり、サイドエアーバックの展開する力によって樹脂芯材２が基点ＢＰから破断する際、表皮材２はその破断に追従してスリット６を基点に割れ若しくは裂けるように設定されている。【００２８】
スリット６の左右両縁部が捲り上がることを防止する手段として、本実施形態の自動車用内装トリム１では、先に説明したように表皮材３と樹脂芯材２とを複数箇所でスポット的に溶着する際に、スリット６の左右両縁部も同様にスポット的に溶着している。この溶着のポイントは図中符号ＷＰで示されている。【００２９】
《スリット６の詳細》
図３を参照すると、図１に示されたスリット６は、スリット始点ＳＳからスリット終点ＳＥまでの範囲が線状の形態になっている。この形態（以下「基本形」という）のスリット６では、そのスリット６左右両縁部と樹脂芯材２との溶着のポイント（以下「スリット左右両縁部の溶着ポイントＷＰ」という）が樹脂芯材２の破断予定線ＢＬに最も接近した状態となるように設定できるので、破断予定線ＢＬに沿って樹脂芯材２が破断するときに、スリット６を基点として迅速に表皮材３の割れが生じる、要するに、樹脂芯材２の破断に対する表皮材２の割れ反応（以下「割れレスポンス」という）が良いという利点がある。この反面、基本形のスリット６は、そのスリット６全長の範囲でスリット６左右両縁部が近接しているので、スリット６左右両縁部を溶着する際に、スリット６を目視で確認し難く、スリット６を探す手間がかかる等、溶着の作業をスムーズに行うことができない場合もある。【００３０】
図５は、図１に示したスリット（図３参照）の改良形の説明図、図６は、図５に示したスリットの第１変形例の説明図、図７は、図５に示したスリットの第２変形例の説明図であり、図８は、図５に示したスリットの第３変形例の説明図である。【００３１】
図５のスリット６は、スリット始点ＳＳ付近から所定長の範囲で部分的にスリット６の幅を拡げた形態になっている。つまり、この形態（以下「改良形」という）のスリット６は、スリット始点ＳＳからスリット終点ＳＥまでの範囲に、幅の広いスリット幅広部６１と幅の狭いスリット幅狭部６２とを備えた構成になっている。このような改良形のスリット６は、スリット６左右両縁部を溶着する際に、スリット幅広部６１を目視で確認し易いので、先に説明した基本形のスリット６（図１、図３参照）に比べて、スリット６を見つけ易く、溶着の作業をスムーズに行うことができる。また、樹脂芯材２の破断予定線ＢＬに対して比較的近い位置にスリット６左右両縁部の溶着ポイントＷＰを設定できるので、表皮材２の割れレスポンスもよい。【００３２】
図６のスリット６は、図５に示したスリット６の第１変形例として、スリット終点ＳＥからスリット始点ＳＳの方向に向けてスリット幅広部６１がテーパー状に拡がるように形成することで、目視によるスリット幅広部６１の確認容易性を高め、より一層スリット６を見つけ易くなるように設定したものである。【００３３】
図７のスリット６は、図５に示したスリット６の第２変形例として、スリット幅広部６１を円弧状に形成したものであり、このような第２変形例もまた先に説明した第１変形例と同じく、より一層スリット６を見つけ易くなっている。この第２変形例もまた、樹脂芯材２の破断予定線ＢＬに対して比較的近い位置にスリット左右両縁部の溶着ポイントＷＰを設定できるので、表皮材２の割れレスポンスもよい。【００３４】
図８のスリット６は、図５に示したスリット６の第３変形例として、スリット幅広部６１を更に幅広く設定したものである。この第３変形例は、図５に示したスリット６に比べて、より一層スリット６を見つけ易くなるという利点がある。この反面、この第３変形例は、スリット左右両縁部の溶着ポイントＷＰが樹脂芯材２の破断予定線ＢＬから比較的遠く離れてしまうため、表皮材２の割れレスポンスは低下する傾向になる。【００３５】
図９は、図５に示したスリットの変形例であり、図１０は、図６に示したスリットの変形例、図１１は図７に示したスリット６の変形例、図１２は図８に示したスリット６の変形例である。【００３６】
図５から図８に示したスリット６では、スリット幅広部６１とスリット幅狭部６２の長さの比率を１：１に設定する等、その比率を略同一に設定しているが、図９から１２に示した変形例のスリット６では、いずれも、その比率を１：３に変更する等、スリット幅広部６１よりもスリット幅狭部６２の方が長くなるように設定してある。この場合、表皮材２の割れレスポンスは比較的高まる反面、スリット６の見つけ易さは低下する。なお、図５から図８に示したスリット６と図９から１２に示した変形例のスリット６とにおける構成上の相違は前述の比率のみであり、それ以外の構成は同一であるため、その詳細説明は省略する。【００３７】
図１３は、図１に示したスリット（図３参照）の第４変形例の説明図、図１４は、図１に示したスリット（図３参照）の第５変形例の説明図である。【００３８】
図１に示した基本形のスリット６は、例えば、図１３に示したようにＶ字形状に形成することも可能であるが、このようなＶ字形状のスリット６はＶ字の先端が尖っているので型抜きが難しいという成形上の問題がある。この問題を解決する方法として、図１４に示したスリット６のようにＶ字形状の先端を円弧形状とする方法が考えられるが、円弧形状は表皮材２の割れの基点として好ましくない。【００３９】
本発明は、以上説明した実施形態に限定されるものではなく、本発明の技術的思想内で当分野において通常の知識を有する者により多くの変形が可能である。【００４０】
例えば、本発明は、自動車用内装トリムとして周知のリアピラーガーニッシュに適用してもよい。
【符号の説明】
【００４１】
１  自動車用内装トリム
２  樹脂芯材
２Ａ  樹脂芯材の端末部
３  表皮材
３Ａ  表皮材の端末部
４  補強リブ
５  凹部
６  スリット
６１  スリット幅広部
６２  スリット幅狭部
１００  サイドレールガーニッシュ
１０１  エアバッグ装置
１０１Ａ  サイドエアーバック
１０１Ｂ  インフレータ
ＢＬ  破断予定線
ＢＰ  樹脂芯材の破断の基点
ＳＳ  スリット始点
ＳＥ  スリット終点
【図１】
2019229831.tif 000003
【図２】
2019229831.tif 000004
【図３】
2019229831.tif 000005
【図４】
2019229831.tif 000006
【図５】
2019229831.tif 000007
【図６】
2019229831.tif 000008
【図７】
2019229831.tif 000009
【図８】
2019229831.tif 000010
【図９】
2019229831.tif 000011
【図１０】
2019229831.tif 000012
【図１１】
2019229831.tif 000013
【図１２】
2019229831.tif 000014
【図１３】
2019229831.tif 000015
【図１４】
2019229831.tif 000016
【国際調査報告】
2019229831.tif 000017
2019229831.tif 000018